(57)【要約】【課題】サーバ装置と、当該サーバ装置とペアリング情報を用いてペアリングするクライアント装置と、を備えるクライアント・サーバシステムにおいて、簡易且つ低コストに、クライアント装置にペアリング情報を設定するとともに、当該クライアント装置以外の装置に対してトラブルを発生させない。【解決手段】ＴＶ受信装置２と、ＤＶＤレコーダ４と、を備えるクライアント・サーバシステム１において、ＴＶ受信装置２に、判別プログラム３１３ａを実行したＣＰＵ３１１により挿入部に挿入されたカードがＩＣカード７であると判別された場合に、ＩＣカード７から、ペアリング情報を取得する取得プログラム３１３ｂを実行したＣＰＵ３１１と、当該取得されたペアリング情報を用いて、ＴＶ受信装置２を、ＤＶＤレコーダ４とペアリングさせる処理を実行するペアリング処理実行プログラム３１３ｃを実行したＣＰＵ３１１と、を備えるよう構成した。【選択図】図３
2008028832.tif 000002
【特許請求の範囲】
【請求項１】
Ｂ−ＣＡＳカードを挿入する挿入部を備え、地上波デジタル放送に関するテレビジョン放送信号を受信するクライアント装置と、当該クライアント装置と無線ネットワークを介してペアリングされ、当該クライアント装置に映像及び／又は音声情報を送信するサーバ装置と、を備えるクライアント・サーバシステムにおいて、
前記クライアント装置を前記サーバ装置と前記ペアリングさせるためのペアリング情報と、当該サーバ装置とペアリング可能な前記クライアント装置の個数を管理するための管理情報と、を記憶し、前記挿入部に挿入可能であり、且つＢ−ＣＡＳカードと異なる形状の部位を有するＩＣカードを備え、
前記クライアント装置は、
前記挿入部に挿入されたＢ−ＣＡＳカードから、データを取得するためのインターフェースと、
前記挿入部に挿入されたカードの前記部位の形状に基づいて、当該カードが、前記ＩＣカードであるか否かを判別する判別手段と、
前記判別手段により前記挿入部に挿入されたカードが前記ＩＣカードであると判別され、前記ＩＣカードに記憶された前記管理情報に基づいて、前記サーバ装置とペアリング中の前記クライアント装置の個数が、当該サーバ装置とペアリング可能な前記クライアント装置の個数を下回る場合に、当該ＩＣカードから、前記インターフェースを介して、前記ペアリング情報を取得する取得手段と、
前記取得手段により取得されたペアリング情報を用いて、当該クライアント装置を、前記サーバ装置と前記ペアリングさせる処理を実行するペアリング処理実行手段と、
を備えることを特徴とするクライアント・サーバシステム。
【請求項２】
Ｂ−ＣＡＳカードを挿入する挿入部を備え、地上波デジタル放送に関するテレビジョン放送信号を受信するクライアント装置と、当該クライアント装置と無線ネットワークを介してペアリングされ、当該クライアント装置に映像及び／又は音声情報を送信するサーバ装置と、を備えるクライアント・サーバシステムにおいて、
前記挿入部は、挿入されたＢ−ＣＡＳカードのＩＣと接触する接触端子の位置と異なる位置に、検出端子を備え、
前記クライアント装置を前記サーバ装置と前記ペアリングさせるためのペアリング情報と、当該サーバ装置とペアリング可能な前記クライアント装置の個数を管理するための管理情報と、を記憶し、前記挿入部に挿入可能であり、且つ当該挿入部に挿入された際に前記検出端子と接触する導電部を有するＩＣカードを備え、
前記クライアント装置は、
前記挿入部に挿入されたＢ−ＣＡＳカードから、データを取得するためのインターフェースと、
前記検出端子が前記導電部と接触し、前記ＩＣカードに記憶された前記管理情報に基づいて、前記サーバ装置とペアリング中の前記クライアント装置の個数が、当該サーバ装置とペアリング可能な前記クライアント装置の個数を下回る場合に、前記挿入部に挿入された前記ＩＣカードから、前記インターフェースを介して、前記ペアリング情報を取得する取得手段と、
前記取得手段により取得されたペアリング情報を用いて、当該クライアント装置を、前記サーバ装置と前記ペアリングさせる処理を実行するペアリング処理実行手段と、
を備えることを特徴とするクライアント・サーバシステム。
【請求項３】
Ｂ−ＣＡＳカードを挿入する挿入部を備え、地上波デジタル放送に関するテレビジョン放送信号を受信するクライアント装置と、当該クライアント装置と無線ネットワークを介してペアリングされ、当該クライアント装置に映像及び／又は音声情報を送信するサーバ装置と、を備えるクライアント・サーバシステムにおいて、
前記クライアント装置を前記サーバ装置と前記ペアリングさせるためのペアリング情報を記憶し、前記挿入部に挿入可能であり、且つＢ−ＣＡＳカードと異なる形状の部位を有するＩＣカードを備え、
前記クライアント装置は、
前記挿入部に挿入されたＢ−ＣＡＳカードから、データを取得するためのインターフェースと、
前記挿入部に挿入されたカードの前記部位の形状に基づいて、当該カードが、前記ＩＣカードであるか否かを判別する判別手段と、
前記判別手段により前記挿入部に挿入されたカードが前記ＩＣカードであると判別された場合に、当該ＩＣカードから、前記インターフェースを介して、前記ペアリング情報を取得する取得手段と、
前記取得手段により取得されたペアリング情報を用いて、当該クライアント装置を、前記サーバ装置と前記ペアリングさせる処理を実行するペアリング処理実行手段と、
を備えることを特徴とするクライアント・サーバシステム。
【請求項４】
Ｂ−ＣＡＳカードを挿入する挿入部を備え、地上波デジタル放送に関するテレビジョン放送信号を受信するクライアント装置と、当該クライアント装置と無線ネットワークを介してペアリングされ、当該クライアント装置に映像及び／又は音声情報を送信するサーバ装置と、を備えるクライアント・サーバシステムにおいて、
前記挿入部は、挿入されたＢ−ＣＡＳカードのＩＣと接触する接触端子の位置と異なる位置に、検出端子を備え、
前記クライアント装置を前記サーバ装置と前記ペアリングさせるためのペアリング情報を記憶し、前記挿入部に挿入可能であり、且つ当該挿入部に挿入された際に前記検出端子と接触する導電部を有するＩＣカードを備え、
前記クライアント装置は、
前記挿入部に挿入されたＢ−ＣＡＳカードから、データを取得するためのインターフェースと、
前記検出端子が前記導電部と接触した場合に、前記挿入部に挿入された前記ＩＣカードから、前記インターフェースを介して、前記ペアリング情報を取得する取得手段と、
前記取得手段により取得されたペアリング情報を用いて、当該クライアント装置を、前記サーバ装置と前記ペアリングさせる処理を実行するペアリング処理実行手段と、
を備えることを特徴とするクライアント・サーバシステム。
【発明の詳細な説明】
【技術分野】
【０００１】
本発明は、クライアント・サーバシステムに関する。
【背景技術】
【０００２】
従来、サーバ装置と、当該サーバ装置と無線ＬＡＮ（Local Area Network）等の無線ネットワークを介してペアリングして通信するクライアント装置と、を備えたクライアント・サーバシステムが知られている。クライアント・サーバシステムのサーバ装置及びクライアント装置には、例えば、無線ネットワーク等を識別するための識別情報と、通信データを暗号化・復号化するための暗号鍵と、等を含むペアリング情報が設定されており、クライアント装置に設定されたペアリング情報が、サーバ装置に設定されたペアリング情報と一致する場合にのみ、クライアント装置はサーバ装置とペアリングできるようになっている。
【０００３】
クライアント装置にペアリング情報を設定する方法としては、例えば、ユーザがクライアント装置に備えられた入力部を操作してペアリング情報を入力する方法、サーバ装置から無線ＬＡＮ通信や赤外線通信によってクライアント装置にペアリング情報を送信する方法等がある。
しかしながら、ペアリング情報を入力する方法は、ユーザにとって煩わしいという問題がある。
また、ペアリング情報を送信する方法は、ペアリング情報が漏洩し易いという問題がある。さらに、特に、赤外線通信によってペアリング情報を送信する方法には、サーバ装置とクライアント装置とが離れ過ぎていると、サーバ装置から送信されたペアリング情報がクライアント装置に届かないという問題もある。
【０００４】
そこで、ＩＣカード等にペアリング情報を記憶させ、当該記憶されたペアリング情報をクライアント装置に読み取らせる方法が考えられる。
【０００５】
ところで、地上波デジタル放送やＢＳ（Broadcasting Satellite）デジタル放送に関するテレビジョン放送信号（以下、「ＴＶ放送信号」という）には、著作権保護等のために不正コピーを防止する目的で、スクランブル処理が施されている。したがって、装置で地上波デジタル放送等に関するＴＶ放送信号を受信して視聴するためには、当該装置に当該スクランブル処理を解除するための情報が記憶されたＩＣカード（Ｂ−ＣＡＳ（BS-Conditional Access Systems）カード）を挿入しておく必要がある。そこで、例えば、Ｂ−ＣＡＳカード用のインターフェースを備えた装置（例えば、特許文献１参照）等が提案されている。
【０００６】
しかしながら、クライアント装置が、例えば、特許文献１のようにＢ−ＣＡＳカード用のインターフェースを備えた装置である場合には、当該クライアント装置に、ペアリング情報を記憶したＩＣカード用のインターフェースを追加しなければならず、コストがかかるという問題がある。
【０００７】
そこで、例えば、サイズや端子位置が異なる、複数種類のＩＣカードに対応できるＩＣカード用コネクタ（例えば、特許文献２参照）、端子の数や位置が異なる、複数種類のメモリカードに対応できるメモリカード用コネクタ（例えば、特許文献３参照）等を利用して、クライアント装置を、Ｂ−ＣＡＳカードにも、ペアリング情報を記憶したＩＣカードにも、対応できる構成にすることが考えられる。
【特許文献１】特開２００５−０４５７５６号公報
【特許文献２】特開２００３−３１７８６１号公報
【特許文献３】特開２００４−１５２５４１号公報
【発明の開示】
【発明が解決しようとする課題】
【０００８】
しかしながら、特許文献２や３を利用して、クライアント装置を、Ｂ−ＣＡＳカードにも、ペアリング情報を記憶したＩＣカードにも、対応できるようにする場合、ＩＣカードの端子位置と、Ｂ−ＣＡＳカードの端子位置と、を変えなければ、トラブルを発生させてしまう可能性がある。
具体的には、例えば、従来のデジタル放送受信装置がある場合、このデジタル放送受信装置においては、Ｂ−ＣＡＳカードを挿入しなければ、デジタル放送を受信することができないが、例えば、ＩＣカードの端子位置と、Ｂ−ＣＡＳカードの端子位置とが同じだと、このデジタル放送受信装置は、ＩＣカードも読み取り可能となる。したがって、Ｂ−ＣＡＳカードと誤ってＩＣカードが挿入されてしまうと、このデジタル放送受信装置は誤動作を起こしてしまうことになる。
【０００９】
本発明の課題は、サーバ装置と、当該サーバ装置とペアリング情報を用いてペアリングするクライアント装置と、を備えるクライアント・サーバシステムにおいて、簡易且つ低コストに、クライアント装置にペアリング情報を設定するとともに、当該クライアント装置以外の装置に対してトラブルを発生させないことにある。
【課題を解決するための手段】
【００１０】
上記課題を解決するために、請求項１に記載の発明は、
Ｂ−ＣＡＳカードを挿入する挿入部を備え、地上波デジタル放送に関するテレビジョン放送信号を受信するクライアント装置と、当該クライアント装置と無線ネットワークを介してペアリングされ、当該クライアント装置に映像及び／又は音声情報を送信するサーバ装置と、を備えるクライアント・サーバシステムにおいて、
前記クライアント装置を前記サーバ装置と前記ペアリングさせるためのペアリング情報と、当該サーバ装置とペアリング可能な前記クライアント装置の個数を管理するための管理情報と、を記憶し、前記挿入部に挿入可能であり、且つＢ−ＣＡＳカードと異なる形状の部位を有するＩＣカードを備え、
前記クライアント装置は、
前記挿入部に挿入されたＢ−ＣＡＳカードから、データを取得するためのインターフェースと、
前記挿入部に挿入されたカードの前記部位の形状に基づいて、当該カードが、前記ＩＣカードであるか否かを判別する判別手段と、
前記判別手段により前記挿入部に挿入されたカードが前記ＩＣカードであると判別され、前記ＩＣカードに記憶された前記管理情報に基づいて、前記サーバ装置とペアリング中の前記クライアント装置の個数が、当該サーバ装置とペアリング可能な前記クライアント装置の個数を下回る場合に、当該ＩＣカードから、前記インターフェースを介して、前記ペアリング情報を取得する取得手段と、
前記取得手段により取得されたペアリング情報を用いて、当該クライアント装置を、前記サーバ装置と前記ペアリングさせる処理を実行するペアリング処理実行手段と、
を備えることを特徴とする。
【００１１】
請求項２に記載の発明は、
Ｂ−ＣＡＳカードを挿入する挿入部を備え、地上波デジタル放送に関するテレビジョン放送信号を受信するクライアント装置と、当該クライアント装置と無線ネットワークを介してペアリングされ、当該クライアント装置に映像及び／又は音声情報を送信するサーバ装置と、を備えるクライアント・サーバシステムにおいて、
前記挿入部は、挿入されたＢ−ＣＡＳカードのＩＣと接触する接触端子の位置と異なる位置に、検出端子を備え、
前記クライアント装置を前記サーバ装置と前記ペアリングさせるためのペアリング情報と、当該サーバ装置とペアリング可能な前記クライアント装置の個数を管理するための管理情報と、を記憶し、前記挿入部に挿入可能であり、且つ当該挿入部に挿入された際に前記検出端子と接触する導電部を有するＩＣカードを備え、
前記クライアント装置は、
前記挿入部に挿入されたＢ−ＣＡＳカードから、データを取得するためのインターフェースと、
前記検出端子が前記導電部と接触し、前記ＩＣカードに記憶された前記管理情報に基づいて、前記サーバ装置とペアリング中の前記クライアント装置の個数が、当該サーバ装置とペアリング可能な前記クライアント装置の個数を下回る場合に、前記挿入部に挿入された前記ＩＣカードから、前記インターフェースを介して、前記ペアリング情報を取得する取得手段と、
前記取得手段により取得されたペアリング情報を用いて、当該クライアント装置を、前記サーバ装置と前記ペアリングさせる処理を実行するペアリング処理実行手段と、
を備えることを特徴とする。
【００１２】
請求項３に記載の発明は、
Ｂ−ＣＡＳカードを挿入する挿入部を備え、地上波デジタル放送に関するテレビジョン放送信号を受信するクライアント装置と、当該クライアント装置と無線ネットワークを介してペアリングされ、当該クライアント装置に映像及び／又は音声情報を送信するサーバ装置と、を備えるクライアント・サーバシステムにおいて、
前記クライアント装置を前記サーバ装置と前記ペアリングさせるためのペアリング情報を記憶し、前記挿入部に挿入可能であり、且つＢ−ＣＡＳカードと異なる形状の部位を有するＩＣカードを備え、
前記クライアント装置は、
前記挿入部に挿入されたＢ−ＣＡＳカードから、データを取得するためのインターフェースと、
前記挿入部に挿入されたカードの前記部位の形状に基づいて、当該カードが、前記ＩＣカードであるか否かを判別する判別手段と、
前記判別手段により前記挿入部に挿入されたカードが前記ＩＣカードであると判別された場合に、当該ＩＣカードから、前記インターフェースを介して、前記ペアリング情報を取得する取得手段と、
前記取得手段により取得されたペアリング情報を用いて、当該クライアント装置を、前記サーバ装置と前記ペアリングさせる処理を実行するペアリング処理実行手段と、
を備えることを特徴とする。
【００１３】
請求項４に記載の発明は、
Ｂ−ＣＡＳカードを挿入する挿入部を備え、地上波デジタル放送に関するテレビジョン放送信号を受信するクライアント装置と、当該クライアント装置と無線ネットワークを介してペアリングされ、当該クライアント装置に映像及び／又は音声情報を送信するサーバ装置と、を備えるクライアント・サーバシステムにおいて、
前記挿入部は、挿入されたＢ−ＣＡＳカードのＩＣと接触する接触端子の位置と異なる位置に、検出端子を備え、
前記クライアント装置を前記サーバ装置と前記ペアリングさせるためのペアリング情報を記憶し、前記挿入部に挿入可能であり、且つ当該挿入部に挿入された際に前記検出端子と接触する導電部を有するＩＣカードを備え、
前記クライアント装置は、
前記挿入部に挿入されたＢ−ＣＡＳカードから、データを取得するためのインターフェースと、
前記検出端子が前記導電部と接触した場合に、前記挿入部に挿入された前記ＩＣカードから、前記インターフェースを介して、前記ペアリング情報を取得する取得手段と、
前記取得手段により取得されたペアリング情報を用いて、当該クライアント装置を、前記サーバ装置と前記ペアリングさせる処理を実行するペアリング処理実行手段と、
を備えることを特徴とする。
【発明の効果】
【００１４】
請求項１に記載の発明によれば、クライアント装置をサーバ装置とペアリングさせるためのペアリング情報を記憶し、挿入部に挿入可能であり、且つＢ−ＣＡＳカードと異なる形状の部位を有するＩＣカードを備え、クライアント装置は、判別手段によって、挿入部に挿入されたカードの部位の形状に基づいて、当該カードが、ＩＣカードであるか否かを判別することができ、取得手段によって、判別手段により挿入部に挿入されたカードがＩＣカードであると判別された場合に、当該ＩＣカードから、インターフェースを介して、ペアリング情報を取得することができ、ペアリング処理実行手段によって、取得手段により取得されたペアリング情報を用いて、当該クライアント装置を、サーバ装置とペアリングさせる処理を実行することができる。
したがって、Ｂ−ＣＡＳカード用のインターフェースを介してＩＣカードからペアリング情報を取得することができるため、ＩＣカード用のインターフェースを追加する必要がなく、さらに、ＩＣカードは、Ｂ−ＣＡＳカードと異なる形状の部位を有しているため、当該クライアント装置以外の他の装置には完全に挿入することができない。すなわち、サーバ装置と、当該サーバ装置とペアリング情報を用いてペアリングするクライアント装置と、を備えるクライアント・サーバシステムにおいて、簡易且つ低コストに、クライアント装置にペアリング情報を設定することができるとともに、当該クライアント装置以外の他の装置に対してトラブルを発生させないようにすることができる。
【００１５】
また、取得手段は、判別手段により挿入部に挿入されたカードがＩＣカードであると判別され、ＩＣカードに記憶された管理情報に基づいて、サーバ装置とペアリング中のクライアント装置の個数が、当該サーバ装置とペアリング可能なクライアント装置の個数を下回る場合に、当該ＩＣカードから、インターフェースを介して、ペアリング情報を取得することができる。
したがって、サーバ装置とペアリング可能なクライアント装置の個数は、例えば、当該サーバ装置の送信能力等によって決定されるが、サーバ装置の送信能力が限界である場合には、クライアント装置は、当該サーバ装置にペアリングされないため、サーバ装置は、安定的にクライアント装置に映像情報や音声情報を送信することができる。
【００１６】
請求項２に記載の発明によれば、挿入部は、挿入されたＢ−ＣＡＳカードのＩＣと接触する接触端子の位置と異なる位置に検出端子を備え、クライアント・サーバシステムは、クライアント装置をサーバ装置とペアリングさせるためのペアリング情報を記憶し、挿入部に挿入可能であり、且つ当該挿入部に挿入された際に検出端子と接触する導電部を有するＩＣカードを備え、クライアント装置は、取得手段によって、検出端子が導電部と接触した場合に、挿入部に挿入されたＩＣカードから、インターフェースを介して、ペアリング情報を取得することができ、ペアリング処理実行手段によって、取得手段により取得されたペアリング情報を用いて、当該クライアント装置を、サーバ装置とペアリングさせる処理を実行することができる。
したがって、Ｂ−ＣＡＳカード用のインターフェースを介してＩＣカードからペアリング情報を取得することができるため、ＩＣカード用のインターフェースを追加する必要がなく、さらに、ＩＣカードはＢ−ＣＡＳカードと異なる位置に導電部を有しているため、当該クライアント装置以外の装置ではＩＣカードからペアリング情報を取得することができない。すなわち、サーバ装置と、当該サーバ装置とペアリング情報を用いてペアリングするクライアント装置と、を備えるクライアント・サーバシステムにおいて、簡易且つ低コストに、クライアント装置にペアリング情報を設定することができるとともに、当該クライアント装置以外の装置に対してトラブルを発生させないようにすることができる。
【００１７】
また、取得手段は、検出端子が導電部と接触し、ＩＣカードに記憶された管理情報に基づいて、サーバ装置とペアリング中のクライアント装置の個数が、当該サーバ装置とペアリング可能なクライアント装置の個数を下回る場合に、挿入部に挿入されたＩＣカードから、インターフェースを介して、ペアリング情報を取得することができる。
したがって、サーバ装置とペアリング可能なクライアント装置の個数は、例えば、当該サーバ装置の送信能力等によって決定されるが、サーバ装置の送信能力が限界である場合には、クライアント装置は、当該サーバ装置にペアリングされないため、サーバ装置は、安定的にクライアント装置に映像情報や音声情報を送信することができる。
【００１８】
請求項３に記載の発明によれば、クライアント装置をサーバ装置とペアリングさせるためのペアリング情報を記憶し、挿入部に挿入可能であり、且つＢ−ＣＡＳカードと異なる形状の部位を有するＩＣカードを備え、クライアント装置は、判別手段によって、挿入部に挿入されたカードの部位の形状に基づいて、当該カードが、ＩＣカードであるか否かを判別することができ、取得手段によって、判別手段により挿入部に挿入されたカードがＩＣカードであると判別された場合に、当該ＩＣカードから、インターフェースを介して、ペアリング情報を取得することができ、ペアリング処理実行手段によって、取得手段により取得されたペアリング情報を用いて、当該クライアント装置を、サーバ装置とペアリングさせる処理を実行することができる。
したがって、Ｂ−ＣＡＳカード用のインターフェースを介してＩＣカードからペアリング情報を取得することができるため、ＩＣカード用のインターフェースを追加する必要がなく、さらに、ＩＣカードは、Ｂ−ＣＡＳカードと異なる形状の部位を有しているため、当該クライアント装置以外の装置には完全に挿入することができない。すなわち、サーバ装置と、当該サーバ装置とペアリング情報を用いてペアリングするクライアント装置と、を備えるクライアント・サーバシステムにおいて、簡易且つ低コストに、クライアント装置にペアリング情報を設定することができるとともに、当該クライアント装置以外の装置に対してトラブルを発生させないようにすることができる。
【００１９】
請求項４に記載の発明によれば、挿入部は、挿入されたＢ−ＣＡＳカードのＩＣと接触する接触端子の位置と異なる位置に検出端子を備え、クライアント・サーバシステムは、クライアント装置をサーバ装置とペアリングさせるためのペアリング情報を記憶し、挿入部に挿入可能であり、且つ当該挿入部に挿入された際に検出端子と接触する導電部を有するＩＣカードを備え、クライアント装置は、取得手段によって、検出端子が導電部と接触した場合に、挿入部に挿入されたＩＣカードから、インターフェースを介して、ペアリング情報を取得することができ、ペアリング処理実行手段によって、取得手段により取得されたペアリング情報を用いて、当該クライアント装置を、サーバ装置とペアリングさせる処理を実行することができる。
したがって、Ｂ−ＣＡＳカード用のインターフェースを介してＩＣカードからペアリング情報を取得することができるため、ＩＣカード用のインターフェースを追加する必要がなく、さらに、ＩＣカードはＢ−ＣＡＳカードと異なる位置に導電部を有しているため、当該クライアント装置以外の装置ではＩＣカードからペアリング情報を取得することができない。すなわち、サーバ装置と、当該サーバ装置とペアリング情報を用いてペアリングするクライアント装置と、を備えるクライアント・サーバシステムにおいて、簡易且つ低コストに、クライアント装置にペアリング情報を設定することができるとともに、当該クライアント装置以外の装置に対してトラブルを発生させないようにすることができる。
【発明を実施するための最良の形態】
【００２０】
以下、図を参照して、本発明にかかるクライアント・サーバシステムの最良の形態を詳細に説明する。なお、発明の範囲は、図示例に限定されない。
【００２１】
[第１の実施の形態]
まず、第１の実施の形態におけるクライアント・サーバシステム１について説明する。
【００２２】
＜構成＞
まず、クライアント・サーバシステム１の構成について、図１〜図６を参照して説明する。
クライアント・サーバシステム１は、例えば、図１に示すように、Ｂ−ＣＡＳカード６を挿入する挿入部２ａを備え、地上波デジタル放送に関するテレビジョン放送信号（以下、「ＴＶ放送信号」という）を受信するクライアント装置としてのテレビジョン受信装置２（以下、「ＴＶ受信装置２」という）と、ＴＶ受信装置２と無線ネットワークＮを介してペアリングされ、ＴＶ受信装置２に映像情報や音声情報を送信するサーバ装置としてのＤＶＤ（Digital Versatile Disk）レコーダ４と、等を備えて構成される。
なお、ＤＶＤレコーダ４に対するＴＶ受信装置２の個数は、図１の限りでなく、任意である。
【００２３】
無線ネットワークＮは、例えば、Bluetooth規格やIEEE（Institute of Electrical and Electronic Engineers）802.11規格などに準じた無線ＬＡＮ（Local Area Network）等のネットワークである。
【００２４】
Ｂ−ＣＡＳカード６は、例えば、図２（ａ）や図３に示すように、ＩＣ６１を備えており、ＩＣ６１は、例えば、ＴＶ放送信号に施されたスクランブル処理を解除するためのスクランブル解除情報６１ａ等を記憶している。
【００２５】
また、クライアント・サーバシステム１は、例えば、挿入部２ａに挿入可能なＩＣカード７を備えている。
【００２６】
（ＩＣカード）
ＩＣカード７は、例えば、図２（ｂ）や図３に示すように、ＩＣ７１を備えており、ＩＣ７１は、例えば、ペアリング情報７１ａと、管理情報７１ｂと、等を記憶している。
ペアリング情報７１ａは、例えば、無線ネットワークＮを識別するための識別情報（ＳＳＩＤ等）と、ＴＶ受信装置２とＤＶＤレコーダ４との間の通信データを暗号化・復号化するための暗号鍵と、等を含む、ＴＶ受信装置２をＤＶＤレコーダ４とペアリングさせるための情報である。
また、管理情報７１ｂは、例えば、ＤＶＤレコーダ４とペアリング中のＴＶ受信装置２の個数と、ＤＶＤレコーダ４とペアリング可能なＴＶ受信装置２の個数と、等を含む、ＤＶＤレコーダ４とペアリング可能なＴＶ受信装置２の個数を管理するための情報である。
【００２７】
ここで、例えば、一のＩＣカード７は、一のサーバ装置（ＤＶＤレコーダ４）とセットになっている。そして、ＩＣカード７に記憶されたペアリング情報７１ａと、このＩＣカード７とセットのＤＶＤレコーダ４に記憶されたペアリング情報と、は同一である。
また、管理情報７１ｂに含まれる、ＤＶＤレコーダ４とペアリング可能なＴＶ受信装置２の個数は、例えば、ＤＶＤレコーダ４の送信能力（すなわち、ＤＶＤレコーダ４がＴＶ受信装置２の映像情報や音声情報を送信する能力）等に基づいて決定される。
【００２８】
ＩＣカード７は、例えば、図２に示すように、Ｂ−ＣＡＳカード６と異なる形状の部位を有している。
具体的には、ＩＣカード７は、例えば、Ｂ−ＣＡＳカード６と略同一の形状を成すカード本体部７ａと、カード本体部７ａの挿入方向側の短手端部に設けられた突出部７ｂと、から形成されている。
ここで、例えば、ＩＣカード７のＩＣ７１に配置された端子の位置は、Ｂ−ＣＡＳカード６のＩＣ６１に配置された端子の位置と、略同一であり、例えば、ＩＣカード７のカード本体部７ａ全体に対するＩＣ７１の位置は、Ｂ−ＣＡＳカード６全体に対するＩＣ６１の位置と、略同一である。
【００２９】
ＩＣカード７には、突出部７ｂが設けられている。そのため、例えば、クライアント・サーバシステム１を構成するクライアント装置（ＴＶ受信装置２）以外の装置に備えられたＢ−ＣＡＳカード６を挿入するための挿入部Ｚに対しては、例えば、図４（ａ）に示すように、Ｂ−ＣＡＳカード６は完全に挿入できるものの、例えば、図４（ｂ）に示すように、ＩＣカード７は完全に挿入できない。したがって、ＴＶ受信装置２以外の装置の挿入部ＺにＩＣカード７を挿入しても、ＴＶ受信装置２以外の装置に備えられたＢ−ＣＡＳカード６のＩＣ６１と接触する接触端子は、ＩＣカード７のＩＣ７１と接触することができず、ＩＣカード７に記憶されたペアリング情報７１ａ等のデータを読み取ることができない。
【００３０】
（ＴＶ受信装置(クライアント装置)の構成）
ＴＶ受信装置２は、例えば、地上波デジタル放送に関するＴＶ放送信号を受信可能に構成されており、当該受信されたＴＶ放送信号に基づく映像情報や音声情報を出力可能に構成されている。
さらに、ＴＶ受信装置２は、例えば、無線ネットワークＮを介してペアリングされたＤＶＤレコーダ４と通信して、そのＤＶＤレコーダ４から送信された映像情報や音声情報を受信可能に構成されており、当該受信された映像情報や音声情報を出力可能に構成されている。
【００３１】
ＴＶ受信装置２の外面には、例えば、図１に示すように、挿入部２ａの挿入口２ａ１が設けられている。
【００３２】
挿入部２ａは、例えば、Ｂ−ＣＡＳカード６と、ＩＣカード７と、が完全に挿入できるように形成されている。
具体的には、挿入部２ａには、例えば、図５に示すように、Ｂ−ＣＡＳカード６やＩＣカード７の挿入方向側の面に、ＩＣカード７の突出部７ｂを収容可能な陥没部２ａ２が設けられている。
したがって、挿入部２ａにＩＣカード７を挿入した場合、挿入部２ａに備えられたＢ−ＣＡＳカード６のＩＣ６１と接触する接触端子２７１は、ＩＣカード７のＩＣ７１と接触することができるため、ＴＶ受信装置２は、接触端子２７１を介して、挿入部２ａに挿入されたＩＣカード７からペアリング情報７１ａ等のデータを読み取ることができる。
【００３３】
そして、例えば、図５に示すように、陥没部２ａ２の底部には、ＩＣカード検出部２６が取り付けられている。
ＩＣカード検出部２６は、例えば、外部からの押圧力によりオンオフされる物理スイッチ等から構成され、ＩＣカード７の突出部７ｂがＩＣカード検出部２６を押圧することにより検出信号が後述する制御部３１に出力されるようになっている。
【００３４】
ＴＶ受信装置２は、具体的には、例えば、図３に示すように、無線通信用のアンテナ２１１を有する無線通信部２１と、デコーダ２２と、ＯＳＤ回路２５と、ＩＣカード検出部２６と、インターフェース２７と、ＴＶ放送信号受信用のアンテナ２８１を有するチューナ２８と、復調部２９と、入力部３０と、制御部３１と、等を備えて構成される。各部は、バス２０によって接続されている。
また、ＴＶ受信装置２は、例えば、デコーダ２２に接続された音声出力部２３や映像表示部２４も備えている。
【００３５】
無線通信部２１は、例えば、無線ネットワークＮを介して、ＤＶＤレコーダ４との間で所定の通信データの送受信を行う。
具体的には、無線通信部２１は、例えば、ＤＶＤレコーダ４との間で無線信号の送受信を行うための無線通信用のアンテナ２１１やＲＦ（Radio Frequency）変換器（図示省略）、Bluetooth規格やIEEE802.11規格に準じた無線ＬＡＮに接続するための無線ＬＡＮカード（図示省略）などを備えている。
より具体的には、無線通信部２１は、例えば、ＤＶＤレコーダ４から送信された映像情報（圧縮映像情報）や音声情報（圧縮音声情報）を受信して、デコーダ２２に出力する。
【００３６】
デコーダ２２は、例えば、制御部３１から入力される制御信号に従って、無線通信部２１から出力された圧縮音声情報をデコードして、音声情報を音声出力部２３に出力するとともに、無線通信部２１から出力された圧縮映像情報をデコードして、映像情報を映像表示部２４に出力する。
また、デコーダ２２は、例えば、制御部３１から入力される制御信号に従って、復調部２９から出力されたトランスポートストリームを解読して、当該トランスポートストリームを構成する各トランスポートパケットを判別し、ユーザ所望の放送番組に関連するトランスポートパケットにかかるデータを、圧縮音声情報と、圧縮映像情報と、等に分離する。そして、例えば、当該圧縮音声情報をデコードして、音声情報を音声出力部２３に出力するとともに、当該圧縮映像情報をデコードして、映像情報を映像表示部２４に出力する。
【００３７】
音声出力部２３は、例えば、スピーカ機器等であり、デコーダ２２から出力された音声情報に基づく音声を出力する。
【００３８】
映像表示部２４は、例えば、液晶表示機器等であり、デコーダ２２から出力された映像情報に基づく映像を表示したり、或いは、デコーダ２２から出力されてＯＳＤ回路２５によりＯＳＤ表示信号が合成された映像情報に基づく映像を表示する。
【００３９】
ＯＳＤ回路２５は、例えば、制御部３１から入力される制御信号に従って、映像表示部２４に所定のオンスクリーンディスプレイ（ＯＳＤ）表示をさせるためのＯＳＤ表示信号を、デコーダ２２から映像表示部２４に出力される映像情報に合成する。
【００４０】
ＩＣカード検出部２６は、例えば、物理スイッチ等から構成されており、ＩＣカード７の突出部７ｂ等からの押圧力を検出すると、当該検出信号を制御部３１に出力する。
【００４１】
インターフェース２７は、例えば、制御部３１が、挿入部２ａに挿入されたＢ−ＣＡＳカード６から、スクランブル解除情報６１ａ等のデータを取得する際に使用されるとともに、挿入部２ａに挿入されたＩＣカード７から、ペアリング情報７１ａや管理情報７１ｂなどのデータを取得する際に使用される。
また、インターフェース２７は、例えば、制御部３１が、挿入部２ａに挿入されたＩＣカード７に記憶された管理情報７１ｂを更新する際に使用される。
具体的には、インターフェース２７は、例えば、挿入部２ａに挿入されたＢ−ＣＡＳカード６のＩＣ６１やＩＣカード７のＩＣ７１と接触する接触端子２７１等から構成されている。
【００４２】
チューナ２８は、例えば、制御部３１から入力される制御信号に従って、ＴＶ放送信号受信用のアンテナ２８１により受信されたＴＶ放送信号（例えば、地上波デジタル放送に関するＴＶ放送信号）の中から、ユーザ所望の放送番組のチャンネルに対応する周波数帯域に存在するＴＶ放送信号を受信し、当該受信したＴＶ放送信号を変調して、中間周波信号を復調部２９に出力する。
【００４３】
復調部２９は、例えば、制御部３１から入力される制御信号に従って、チューナ２８から出力された中間周波信号に対してデジタル復調や誤り訂正などの処理を施し、挿入部２ａに挿入されたＢ−ＣＡＳカード６からインターフェース２７を介して取得されたスクランブル解除情報６１ａを用いて、ストリーム（例えば、トランスポートストリーム）に付加されたスクランブル信号を解除し、当該スクランブル信号が解除されたトランスポートストリームを、デコーダ２２に出力する。
【００４４】
入力部３０は、例えば、ＴＶ受信装置２の外面に備えられた操作ボタン（図示省略）や、ＴＶ受信装置２用のリモートコントローラ（図示省略）及び当該リモートコントローラと通信可能なリモコン受信部（図示省略）などから構成されており、例えば、ユーザによって操作されると、当該操作に伴う各種入力信号を制御部３１に出力する。
【００４５】
制御部３１は、例えば、図３に示すように、ＣＰＵ（Central Processing Unit）３１１と、ＲＡＭ（Random Access Memory）３１２と、ＥＰＲＯＭ（Erasable Programmable Read Only Memory）３１３と、等を備えている。
【００４６】
ＣＰＵ３１１は、例えば、ＥＰＲＯＭ３１３に記憶されたＴＶ受信装置２用の各種処理プログラムに従って各種の制御動作を行う。
【００４７】
ＲＡＭ３１２は、例えば、ＣＰＵ３１１によって実行される処理プログラムなどを展開するためのプログラム格納領域や、入力データや上記処理プログラムが実行される際に生じる処理結果などを格納するデータ格納領域などを備える。
【００４８】
ＥＰＲＯＭ３１３は、例えば、ＴＶ受信装置２で実行可能なシステムプログラム、当該システムプログラムで実行可能な各種処理プログラム、これら各種処理プログラムを実行する際に使用されるデータ、ＣＰＵ３１１によって演算処理された処理結果のデータなどを記憶する。なお、プログラムは、コンピュータが読み取り可能なプログラムコードの形でＥＰＲＯＭ３１３に記憶されている。
【００４９】
具体的には、ＥＰＲＯＭ３１３には、例えば、ペアリング情報７１ａと、判別プログラム３１３ａと、取得プログラム３１３ｂと、ペアリング処理実行プログラム３１３ｃと、等が記憶されている。
【００５０】
ペアリング情報７１ａは、例えば、取得プログラム３１３ｂを実行したＣＰＵ３１１が、インターフェース２７を介して、挿入部２ａに挿入されたＩＣカード７から取得したペアリング情報７１ａである。
【００５１】
判別プログラム３１３ａは、例えば、挿入部２ａに挿入されたカードの挿入方向側の短手端部の形状に基づいて、当該カードが、ＩＣカード７であるか否かを判別する機能を、ＣＰＵ３１１に実現させる。
具体的には、ＣＰＵ３１１は、例えば、ＩＣカード検出部２６から検出信号が入力された場合に、挿入部２ａに挿入されたカードが、ＩＣカード７であると判別する。
ＣＰＵ３１１は、かかる判別プログラム３１３ａを実行することによって、判別手段として機能する。
【００５２】
取得プログラム３１３ｂは、例えば、判別プログラム３１３ａを実行したＣＰＵ３１１により挿入部２ａに挿入されたカードがＩＣカード７であると判別された場合に、ＩＣカード７から、インターフェース２７を介して、ペアリング情報７１ａや管理情報７１ｂを取得する機能を、ＣＰＵ３１１に実現させる。
具体的には、ＣＰＵ３１１は、判別プログラム３１３ａを実行したＣＰＵ３１１により挿入部２ａに挿入されたカードがＩＣカード７であると判別され、そして、インターフェース２７を介して、ＩＣカード７から取得した管理情報７１ｂに基づいて、ＤＶＤレコーダ４とペアリング中のＴＶ受信装置２の個数が、ＤＶＤレコーダ４とペアリング可能なＴＶ受信装置２の個数（例えば、５個）を下回ると判断した場合に、ＩＣカード７から、インターフェース２７を介して、ペアリング情報７１ａを取得し、ＥＰＲＯＭ３１３に記憶させる。
ＣＰＵ３１１は、かかる取得プログラム３１３ｂを実行することによって、取得手段として機能する。
【００５３】
ペアリング処理実行プログラム３１３ｃは、例えば、取得プログラム３１３ｂを実行したＣＰＵ３１１により取得されたペアリング情報７１ａを用いて、ＴＶ受信装置２を、ＤＶＤレコーダ４と無線ネットワークＮを介してペアリングさせる処理を実行する機能を、ＣＰＵ３１１に実現させる。
例えば、取得プログラム３１３ｂを実行したＣＰＵ３１１により取得されてＥＰＲＯＭ３１３に記憶されたペアリング情報７１ａが、ＤＶＤレコーダ４に記憶されているペアリング情報と同一である場合に、ＴＶ受信装置２は、ＤＶＤレコーダ４とペアリングされる。
ＣＰＵ３１１は、かかるペアリング処理実行プログラム３１３ｃを実行することによって、ペアリング処理実行手段として機能する。
【００５４】
（ＤＶＤレコーダ(サーバ装置)の構成）
ＤＶＤレコーダ４は、例えば、ＤＶＤに映像情報や音声情報を記録可能に構成されており、ＤＶＤに記録された映像情報や音声情報を再生可能に構成されている。
さらに、ＤＶＤレコーダ４は、例えば、無線ネットワークＮを介してペアリングされたＴＶ受信装置２と通信して、そのＴＶ受信装置２に映像情報（圧縮映像情報）や音声情報（圧縮音声情報）を送信可能に構成されている。
また、ＤＶＤレコーダ４は、例えば、ＩＣカード７に記憶されたペアリング情報７１ａと同一のペアリング情報を記憶している。
なお、ＤＶＤレコーダ４は、一般的な構成を成すものであるため、その詳細な説明については省略する。
【００５５】
＜処理＞
次に、クライアント・サーバシステム１によるペアリング処理の実行に関する処理について、図６のフローチャートを参照して説明する。
【００５６】
まず、ＴＶ受信装置２のＣＰＵ３１１は、判別プログラム３１３ａを実行して、挿入部２ａに挿入されたカードが、ＩＣカード７であるか否かを判別する（ステップＳ１１）。
【００５７】
ステップＳ１１で、挿入部２ａに挿入されたカードが、ＩＣカード７でないと判別する（すなわち、挿入部２ａに挿入されたカードが、Ｂ−ＣＡＳカード６であると判別する）と（ステップＳ１１；Ｎｏ）、ＣＰＵ３１１は、挿入部２ａに挿入されたＢ−ＣＡＳカード６を用いて、ユーザ所望の放送番組を、音声出力部２３や映像表示部２４において視聴可能にし（ステップＳ１２）、本処理を終了する。
【００５８】
一方、ステップＳ１１で、挿入部２ａに挿入されたカードが、ＩＣカード７であると判別すると（ステップＳ１１；Ｙｅｓ）、ＣＰＵ３１１は、ＯＳＤ回路２５に制御信号を入力して、「ペアリング設定画面」を、映像表示部２４に表示させる（ステップＳ１３）。
具体的には、「ペアリング設定画面」では、例えば、「サーバ装置とペアリングする」か、或いは、「サーバ装置とのペアリングを解除する」か、を選択できるようになっている。
【００５９】
次いで、ＣＰＵ３１１は、ステップＳ１３にて表示した「ペアリング設定画面」において、ユーザによる入力部３０の操作によって、「サーバ装置とペアリングする」が選択されたか否かを判断する（ステップＳ１４）。
【００６０】
ステップＳ１４で、「サーバ装置とペアリングする」が選択されていないと判断すると（ステップＳ１４；Ｎｏ）、ＣＰＵ３１１は、ステップＳ１３にて表示した「ペアリング設定画面」において、ユーザによる入力部３０の操作によって、「サーバ装置とのペアリングを解除する」が選択されたか否かを判断する（ステップＳ１５）。
【００６１】
ステップＳ１５で、「サーバ装置とのペアリングを解除する」が選択されていないと判断すると（ステップＳ１５；Ｎｏ）、ＣＰＵ３１１は、ステップＳ１４以降の処理を繰り返して行う。
【００６２】
ステップＳ１５で、「サーバ装置とのペアリングを解除する」が選択されたと判断すると（ステップＳ１５；Ｙｅｓ）、ＣＰＵ３１１は、ＥＰＲＯＭ３１３に記憶されたペアリング情報７１ａを消去する等して、ＴＶ受信装置２を、ＤＶＤレコーダ４とペアリング解除させる処理を実行し（ステップＳ１６）、インターフェース２７を介して、挿入部２ａに挿入されたＩＣカード７の管理情報７１ｂに含まれるＤＶＤレコーダ４とペアリング中のＴＶ受信装置２の個数に「１」を減算することによって、管理情報７１ｂを更新し（ステップＳ１７）、本処理を終了する。
【００６３】
また、ステップＳ１４で、「サーバ装置とペアリングする」が選択されたと判断すると（ステップＳ１４；Ｙｅｓ）、ＣＰＵ３１１は、取得プログラム３１３ｂを実行して、インターフェース２７を介して、挿入部２ａに挿入されたＩＣカード７から管理情報７１ｂを取得し、その管理情報７１ｂに基づいて、ＤＶＤレコーダ４とペアリング中のＴＶ受信装置２の個数が、ＤＶＤレコーダ４とペアリング可能なＴＶ受信装置２の個数を下回るか否かを判断する（ステップＳ１８）。
【００６４】
ステップＳ１８で、ＤＶＤレコーダ４とペアリング中のＴＶ受信装置２の個数が、ＤＶＤレコーダ４とペアリング可能なＴＶ受信装置２の個数を下回らないと判断すると（ステップＳ１８；Ｎｏ）、ＣＰＵ３１１は、ＯＳＤ回路２５に制御信号を入力して、ペアリング処理が実行できない旨を、映像表示部２４に表示させて（ステップＳ１９）、本処理を終了する。
【００６５】
一方、ステップＳ１８で、ＤＶＤレコーダ４とペアリング中のＴＶ受信装置２の個数が、ＤＶＤレコーダ４とペアリング可能なＴＶ受信装置２の個数を下回ると判断すると（ステップＳ１８；Ｙｅｓ）、ＣＰＵ３１１は、インターフェース２７を介して、挿入部２ａに挿入されたＩＣカード７からペアリング情報７１ａを取得し、そのペアリング情報７１ａをＥＰＲＯＭ３１３に記憶させ（ステップＳ２０）、インターフェース２７を介して、挿入部２ａに挿入されたＩＣカード７の管理情報７１ｂに含まれるＤＶＤレコーダ４とペアリング中のＴＶ受信装置２の個数に「１」を加算することによって、管理情報７１ｂを更新する（ステップＳ２１）。
【００６６】
次いで、ＣＰＵ３１１は、ＯＳＤ回路２５に制御信号を入力して、ＴＶ受信装置２にペアリング情報が設定できた旨と、ＩＣカード７を挿入部２ａから抜き取るようユーザに指示する旨の表示を、映像表示部２４に表示させる（ステップＳ２２）。
【００６７】
次いで、ＣＰＵ３１１は、ペアリング処理実行プログラム３１３ｃを実行して、ステップＳ２０にてＥＰＲＯＭ３１３に記憶させたペアリング情報７１ａを用いて、ＴＶ受信装置２を、ＤＶＤレコーダ４と無線ネットワークＮを介してペアリングさせる処理を実行し（ステップＳ２３）、本処理を終了する。
【００６８】
以上説明した第１の実施の形態におけるクライアント・サーバシステム１によれば、Ｂ−ＣＡＳカード６を挿入する挿入部２ａを備え、地上波デジタル放送に関するＴＶ放送信号を受信するＴＶ受信装置２と、ＴＶ受信装置２と無線ネットワークＮを介してペアリングされ、ＴＶ受信装置２に映像情報や音声情報を送信するＤＶＤレコーダ４と、ＴＶ受信装置２をＤＶＤレコーダ４とペアリングさせるためのペアリング情報と、ＤＶＤレコーダ４とペアリング可能なＴＶ受信装置２の個数を管理するための管理情報と、を記憶し、挿入部２ａに挿入可能であり、且つＢ−ＣＡＳカード６と異なる形状の部位を有するＩＣカード７を備えている。そして、ＴＶ受信装置２は、挿入部２ａに挿入されたＢ−ＣＡＳカード６から、データを取得するためのインターフェース２７を備え、判別プログラム３１３ａを実行したＣＰＵ３１１によって、挿入部２ａに挿入されたカードの挿入方向側の短手端部の形状に基づいて、当該カードが、ＩＣカード７であるか否かを判別することができ、取得プログラム３１３ｂを実行したＣＰＵ３１１によって、判別プログラム３１３ａを実行したＣＰＵ３１１により挿入部２ａに挿入されたカードがＩＣカード７であると判別された場合に、ＩＣカード７から、インターフェース２７を介して、ペアリング情報を取得することができ、ペアリング処理実行プログラム３１３ｃを実行したＣＰＵ３１１によって、取得プログラム３１３ｂを実行したＣＰＵ３１１により取得されたペアリング情報を用いて、ＴＶ受信装置２を、ＤＶＤレコーダ４とペアリングさせる処理を実行することができる。
したがって、Ｂ−ＣＡＳカード６用のインターフェース２７を介してＩＣカード７からペアリング情報を取得することができるため、ＩＣカード７用のインターフェースを追加する必要がなく、さらに、ＩＣカード７は、Ｂ−ＣＡＳカード６と異なる形状の部位を有しているため、ＴＶ受信装置２以外の装置には完全に挿入することができない。すなわち、ＤＶＤレコーダ４と、ＤＶＤレコーダ４とペアリング情報を用いてペアリングするＴＶ受信装置２と、を備えるクライアント・サーバシステム１において、簡易且つ低コストに、ＴＶ受信装置２にペアリング情報を設定することができるとともに、ＴＶ受信装置２以外の装置に対してトラブルを発生させないようにすることができる。
【００６９】
また、取得プログラム３１３ｂを実行したＣＰＵ３１１は、判別プログラム３１３ａを実行したＣＰＵ３１１により挿入部２ａに挿入されたカードがＩＣカード７であると判別され、ＩＣカード７に記憶された管理情報７１ｂに基づいて、ＤＶＤレコーダ４とペアリング中のＴＶ受信装置２の個数が、ＤＶＤレコーダ４とペアリング可能なＴＶ受信装置２の個数を下回る場合に、ＩＣカード７から、インターフェース２７を介して、ペアリング情報を取得することができる。
したがって、ＤＶＤレコーダ４とペアリング可能なＴＶ受信装置２の個数は、例えば、ＤＶＤレコーダ４の送信能力等によって決定されるが、ＤＶＤレコーダ４の送信能力が限界である場合には、ＴＶ受信装置２は、ＤＶＤレコーダ４にペアリングされないため、ＤＶＤレコーダ４は、安定的にＴＶ受信装置２に映像情報や音声情報を送信することができる。
【００７０】
[第２の実施の形態]
次に、第２の実施の形態におけるクライアント・サーバシステム１Ａについて説明する。
【００７１】
＜構成＞
まず、クライアント・サーバシステム１Ａの構成について、図７〜図１０を参照して説明する。
なお、第２の実施の形態のクライアント・サーバシステム１Ａは、ＩＣカードの形状が第１の実施の形態のクライアント・サーバシステム１と異なる。具体的には、ＴＶ受信装置２の構成の一部、ＩＣカード７の構成の一部が異なる。したがって、異なる箇所のみについて説明し、その他の共通する部分は同一符合を付して説明する。
【００７２】
クライアント・サーバシステム１Ａは、例えば、図７に示すように、Ｂ−ＣＡＳカード６を挿入する挿入部２ａＡを備え、地上波デジタル放送に関するＴＶ放送信号を受信するクライアント装置としてのテレビジョン受信装置２Ａ（以下、「ＴＶ受信装置２Ａ」という）と、ＴＶ受信装置２Ａと無線ネットワークＮを介してペアリングされ、ＴＶ受信装置２Ａに映像情報や音声情報を送信するサーバ装置としてのＤＶＤレコーダ４と、を備えて構成される。
なお、ＤＶＤレコーダ４に対するＴＶ受信装置２Ａの個数は、図７の限りでなく、任意である。
【００７３】
また、クライアント・サーバシステム１Ａは、例えば、挿入部２ａＡに挿入可能なＩＣカード７Ａを備えている。
【００７４】
（ＩＣカード）
ＩＣカード７Ａは、例えば、図８や図９に示すように、ペアリング情報７１ａや管理情報７１ｂなどを記憶するＩＣ７１Ａと、導電部７２Ａと、等を備えている。
ＩＣ７１Ａに配置された一の端子（例えば、Ｖｃｃ端子）の表面は、例えば、絶縁材料等で覆われており、導電部７２Ａは、例えば、ＩＣ７１ＡのＶｃｃ端子と同一の機能を有している。
ここで、例えば、ＩＣカード７Ａの形状は、Ｂ−ＣＡＳカード６の形状と、略同一であり、例えば、ＩＣカード７Ａ全体に対するＩＣ７１Ａの位置は、Ｂ−ＣＡＳカード６全体に対するＩＣ６１と、略同一であり、例えば、ＩＣカード７ＡのＩＣ７１Ａに配置された端子の位置は、Ｂ−ＣＡＳカード６のＩＣ６１に配置された端子の位置と、略同一である。
【００７５】
ＩＣカード７ＡのＩＣ７１Ａに配置されたＶｃｃ端子は、絶縁材料等で覆われているので、機能しない。そのため、例えば、クライアント・サーバシステム１Ａを構成するクライアント装置（ＴＶ受信装置２Ａ）以外の装置に備えられたＢ−ＣＡＳカード６のＩＣ６１と接触する接触端子では、ＩＣカード７Ａに記憶されたペアリング情報７１ａ等のデータを読み取ることができないようになっている。
【００７６】
（ＴＶ受信装置(クライアント装置)の構成）
ＴＶ受信装置２Ａは、例えば、地上波デジタル放送に関するＴＶ放送信号を受信可能に構成されており、当該受信されたＴＶ放送信号に基づく映像情報や音声情報を出力可能に構成されている。
さらに、ＴＶ受信装置２Ａは、例えば、無線ネットワークＮを介してペアリングされたＤＶＤレコーダ４と通信して、そのＤＶＤレコーダ４から送信された映像情報や音声情報を受信可能に構成されており、当該受信された映像情報や音声情報を出力可能に構成されている。
【００７７】
ＴＶ受信装置２Ａの外面には、例えば、図７に示すように、挿入部２ａＡの挿入口２ａ１Ａが設けられている。
【００７８】
挿入部２ａＡの形状は、例えば、図８に示すように、クライアント・サーバシステム１Ａを構成するクライアント装置（ＴＶ受信装置２Ａ）以外の装置に備えられたＢ−ＣＡＳカード６を挿入するための挿入部Ｚ（例えば、図４）の形状と略同一である。
挿入部２ａＡは、例えば、挿入部２ａＡに挿入されたＢ−ＣＡＳカード６のＩＣ６１と接触する接触端子２７１の位置と異なる位置に、挿入部２ａＡに挿入されたＩＣカード７Ａが有する導電部７２Ａと接触する検出端子２７２Ａを備えている。
すなわち、例えば、ＩＣカード７Ａとの関係では、接触端子２７１は、ＩＣカード７ＡのＩＣ７１Ａと接触し、検出端子２７２Ａは、ＩＣカード７Ａの導電部７２Ａと接触する。これにより、挿入部２ａＡに挿入されたＩＣカード７Ａからペアリング情報７１ａ等のデータを読み取ることができるようになっている。
したがって、例えば、ＴＶ受信装置２Ａは、挿入部２ａＡにＢ−ＣＡＳカード６が挿入された場合には、接触端子２７１のみを介して、挿入部２ａＡに挿入されたＢ−ＣＡＳカード６からスクランブル解除情報６１ａ等のデータを読み取ることができ、挿入部２ａＡにＩＣカード７Ａが挿入された場合には、接触端子２７１と検出端子２７２Ａとを介して、挿入部２ａＡに挿入されたＩＣカード７Ａからペアリング情報７１ａ等のデータを読み取ることができる。
【００７９】
ＴＶ受信装置２Ａは、具体的には、例えば、図９に示すように、無線通信用のアンテナ２１１を有する無線通信部２１と、デコーダ２２と、ＯＳＤ回路２５と、ＩＣカード検出部２６と、インターフェース２７Ａと、ＴＶ放送信号受信用のアンテナ２８１を有するチューナ２８と、復調部２９と、入力部３０と、制御部３１Ａと、等を備えて構成される。各部は、バス２０Ａによって接続されている。
また、ＴＶ受信装置２Ａは、例えば、デコーダ２２に接続された音声出力部２３や映像表示部２４も備えている。
【００８０】
インターフェース２７Ａは、例えば、制御部３１Ａが、挿入部２ａＡに挿入されたＢ−ＣＡＳカード６から、スクランブル解除情報６１ａ等のデータを取得する際に使用されるとともに、挿入部２ａＡに挿入されたＩＣカード７Ａから、ペアリング情報７１ａや管理情報７１ｂなどのデータを取得する際に使用される。
また、インターフェース２７Ａは、例えば、制御部３１Ａが、挿入部２ａＡに挿入されたＩＣカード７Ａに記憶された管理情報７１ｂを更新する際に使用される。
具体的には、インターフェース２７Ａは、例えば、挿入部２ａＡに挿入されたＢ−ＣＡＳカード６のＩＣ６１やＩＣカード７ＡのＩＣ７１Ａと接触する接触端子２７１と、挿入部２ａＡに挿入されたＩＣカード７Ａの導電部７２Ａと接触する検出端子２７２Ａと、等から構成されている。
【００８１】
制御部３１Ａは、例えば、図９に示すように、ＣＰＵ３１１と、ＲＡＭ３１２と、ＥＰＲＯＭ３１３Ａと、等を備えている。
【００８２】
ＥＰＲＯＭ３１３Ａは、例えば、ＴＶ受信装置２Ａで実行可能なシステムプログラム、当該システムプログラムで実行可能な各種処理プログラム、これら各種処理プログラムを実行する際に使用されるデータ、ＣＰＵ３１１によって演算処理された処理結果のデータなどを記憶する。なお、プログラムは、コンピュータが読み取り可能なプログラムコードの形でＥＰＲＯＭ３１３Ａに記憶されている。
【００８３】
具体的には、ＥＰＲＯＭ３１３Ａには、例えば、ペアリング情報７１ａと、取得プログラム３１３ｂＡと、ペアリング処理実行プログラム３１３ｃと、等が記憶されている。
【００８４】
取得プログラム３１３ｂＡは、例えば、検出端子２７２Ａが導電部７２Ａと接触した場合に、挿入部２ａＡに挿入されたＩＣカード７Ａから、インターフェース２７Ａを介して、ペアリング情報を取得する機能を、ＣＰＵ３１１に実現させる。
具体的には、ＣＰＵ３１１は、検出端子２７２Ａが導電部７２Ａと接触し、そして、インターフェース２７Ａを介して、ＩＣカード７Ａから取得した管理情報７１ｂに基づいて、ＤＶＤレコーダ４とペアリング中のＴＶ受信装置２Ａの個数が、ＤＶＤレコーダ４とペアリング可能なＴＶ受信装置２Ａの個数を下回る場合に、挿入部２ａＡに挿入されたＩＣカード７Ａから、インターフェース２７Ａを介して、ペアリング情報を取得する機能を、ＣＰＵ３１１に実現させる。
ＣＰＵ３１１は、かかる取得プログラム３１３ｂＡを実行することによって、取得手段として機能する。
【００８５】
＜処理＞
次に、クライアント・サーバシステム１Ａによるペアリング処理の実行に関する処理について、図１０のフローチャートを参照して説明する。
【００８６】
まず、ＴＶ受信装置２ＡのＣＰＵ３１１は、接触端子２７１のみを介して、挿入部２ａＡに挿入されたカードからデータを取得することができたか否かを判別する（ステップＳ３１）。
【００８７】
ステップＳ３１で、接触端子２７１のみを介して、挿入部２ａＡに挿入されたカードからデータを取得することができたと判別する（すなわち、挿入部２ａに挿入されたカードが、Ｂ−ＣＡＳカード６であると判別する）と（ステップＳ３１；Ｙｅｓ）、ＣＰＵ３１１は、挿入部２ａＡに挿入されたＢ−ＣＡＳカード６を用いて、ユーザ所望の放送番組を、音声出力部２３や映像表示部２４において視聴可能にし（ステップＳ３２）、本処理を終了する。
【００８８】
一方、ステップＳ３１で、接触端子２７１のみを介して、挿入部２ａＡに挿入されたカードからデータを取得することができなかったと判別すると（ステップＳ３１；Ｎｏ）、ＣＰＵ３１１は、接触端子２７１と検出端子２７２Ａとを介して、挿入部２ａＡに挿入されたカードからデータを取得することができたか否かを判断する（ステップＳ３３）。
【００８９】
ステップＳ３３で、接触端子２７１と検出端子２７２Ａとを介して、挿入部２ａＡに挿入されたカードからデータを取得することができないと判別すると（ステップＳ３３；Ｎｏ）、ＣＰＵ３１１は、本処理を終了する。
【００９０】
一方、ステップＳ３３で、接触端子２７１と検出端子２７２Ａとを介して、挿入部２ａＡに挿入されたカードからデータを取得することができたと判断する（すなわち、挿入部２ａに挿入されたカードが、ＩＣカード７Ａであると判別する）と（ステップＳ３３；Ｙｅｓ）、ＣＰＵ３１１は、ＯＳＤ回路２５に制御信号を入力して、「ペアリング設定画面」を、映像表示部２４に表示させる（ステップＳ３４）。
具体的には、「ペアリング設定画面」では、例えば、「サーバ装置とペアリングする」か、或いは、「サーバ装置とのペアリングを解除する」か、を選択できるようになっている。
【００９１】
次いで、ＣＰＵ３１１は、ステップＳ３４にて表示した「ペアリング設定画面」において、ユーザによる入力部３０の操作によって、「サーバ装置とペアリングする」が選択されたか否かを判断する（ステップＳ３５）。
【００９２】
ステップＳ３５で、「サーバ装置とペアリングする」が選択されていないと判断すると（ステップＳ３５；Ｎｏ）、ＣＰＵ３１１は、ステップＳ３４にて表示した「ペアリング設定画面」において、ユーザによる入力部３０の操作によって、「サーバ装置とのペアリングを解除する」が選択されたか否かを判断する（ステップＳ３６）。
【００９３】
ステップＳ３６で、「サーバ装置とのペアリングを解除する」が選択されていないと判断すると（ステップＳ３６；Ｎｏ）、ＣＰＵ３１１は、ステップＳ３５以降の処理を繰り返して行う。
【００９４】
ステップＳ３６で、「サーバ装置とのペアリングを解除する」が選択されたと判断すると（ステップＳ３６；Ｙｅｓ）、ＣＰＵ３１１は、ＥＰＲＯＭ３１３に記憶されたペアリング情報７１ａを消去する等して、ＴＶ受信装置２Ａを、ＤＶＤレコーダ４とペアリング解除させる処理を実行し（ステップＳ３７）、インターフェース２７Ａ（接触端子２７１及び検出端子２７２Ａ）を介して、挿入部２ａＡに挿入されたＩＣカード７Ａの管理情報７１ｂに含まれるＤＶＤレコーダ４とペアリング中のＴＶ受信装置２Ａの個数に「１」を減算することによって、管理情報７１ｂを更新し（ステップＳ３８）、本処理を終了する。
【００９５】
また、ステップＳ３５で、「サーバ装置とペアリングする」が選択されたと判断すると（ステップＳ３５；Ｙｅｓ）、ＣＰＵ３１１は、取得プログラム３１３ｂＡを実行して、インターフェース２７Ａ（接触端子２７１及び検出端子２７２Ａ）を介して、挿入部２ａＡに挿入されたＩＣカード７Ａから管理情報７１ｂを取得し、その管理情報７１ｂに基づいて、ＤＶＤレコーダ４とペアリング中のＴＶ受信装置２Ａの個数が、ＤＶＤレコーダ４とペアリング可能なＴＶ受信装置２Ａの個数を下回るか否かを判断する（ステップＳ３９）。
【００９６】
ステップＳ３９で、ＤＶＤレコーダ４とペアリング中のＴＶ受信装置２Ａの個数が、ＤＶＤレコーダ４とペアリング可能なＴＶ受信装置２Ａの個数を下回らないと判断すると（ステップＳ３９；Ｎｏ）、ＣＰＵ３１１は、ＯＳＤ回路２５に制御信号を入力して、ペアリング処理が実行できない旨を、映像表示部２４に表示させて（ステップＳ４０）、本処理を終了する。
【００９７】
一方、ステップＳ３９で、ＤＶＤレコーダ４とペアリング中のＴＶ受信装置２Ａの個数が、ＤＶＤレコーダ４とペアリング可能なＴＶ受信装置２Ａの個数を下回ると判断すると（ステップＳ３９；Ｙｅｓ）、ＣＰＵ３１１は、インターフェース２７Ａ（接触端子２７１及び検出端子２７２Ａ）を介して、挿入部２ａＡに挿入されたＩＣカード７Ａからペアリング情報７１ａを取得し、そのペアリング情報７１ａをＥＰＲＯＭ３１３Ａに記憶させ（ステップＳ４１）、インターフェース２７Ａ（接触端子２７１及び検出端子２７２Ａ）を介して、挿入部２ａＡに挿入されたＩＣカード７Ａの管理情報７１ｂに含まれるＤＶＤレコーダ４とペアリング中のＴＶ受信装置２Ａの個数に「１」を加算することによって、管理情報７１ｂを更新する（ステップＳ４２）。
【００９８】
次いで、ＣＰＵ３１１は、ＯＳＤ回路２５に制御信号を入力して、ＴＶ受信装置２Ａにペアリング情報が設定できた旨と、ＩＣカード７Ａを挿入部２ａＡから抜き取るようユーザに指示する旨の表示を、映像表示部２４に表示させる（ステップＳ４３）。
【００９９】
次いで、ＣＰＵ３１１は、ペアリング処理実行プログラム３１３ｃを実行して、ステップＳ４１にてＥＰＲＯＭ３１３Ａに記憶させたペアリング情報７１ａを用いて、ＴＶ受信装置２Ａを、ＤＶＤレコーダ４と無線ネットワークＮを介してペアリングさせる処理を実行し（ステップＳ４４）、本処理を終了する。
【０１００】
以上説明した第２の実施の形態におけるクライアント・サーバシステム１Ａによれば、Ｂ−ＣＡＳカード６を挿入する挿入部２ａＡを備え、地上波デジタル放送に関するＴＶ放送信号を受信するＴＶ受信装置２Ａと、ＴＶ受信装置２Ａと無線ネットワークＮを介してペアリングされ、ＴＶ受信装置２Ａに映像情報や音声情報を送信するＤＶＤレコーダ４と、ＴＶ受信装置２ＡをＤＶＤレコーダ４とペアリングさせるためのペアリング情報を記憶し、挿入部２ａＡに挿入可能であり、且つ挿入部２ａＡに挿入された際に検出端子２７２Ａと接触する導電部７２Ａを有するＩＣカード７Ａと、を備え、挿入部２ａＡは、挿入されたＢ−ＣＡＳカード６のＩＣ６１と接触する接触端子２７１の位置と異なる位置に、検出端子２７２Ａを備えている。そして、ＴＶ受信装置２Ａは、挿入部２ａＡに挿入されたＢ−ＣＡＳカード６から、データを取得するためのインターフェース２７Ａを備え、取得プログラム３１３ｂＡを実行したＣＰＵ３１１によって、検出端子２７２Ａが導電部７２Ａと接触し、ＩＣカード７Ａに記憶された、ＤＶＤレコーダ４とペアリング中のＴＶ受信装置２Ａの個数が、ＤＶＤレコーダ４とペアリング可能なＴＶ受信装置２Ａの個数を下回る場合に、挿入部２ａＡに挿入されたＩＣカード７Ａから、インターフェース２７Ａを介して、ペアリング情報を取得することができ、ペアリング処理実行プログラム３１３ｃを実行したＣＰＵ３１１によって、取得プログラム３１３ｂＡを実行したＣＰＵ３１１により取得されたペアリング情報を用いて、ＴＶ受信装置２Ａを、ＤＶＤレコーダ４とペアリングさせる処理を実行することができる。
したがって、Ｂ−ＣＡＳカード６用のインターフェース２７Ａを介してＩＣカード７Ａからペアリング情報を取得することができるため、ＩＣカード７Ａ用のインターフェースを追加する必要がなく、さらに、ＩＣカード７ＡはＢ−ＣＡＳカード６と異なる位置に導電部７２Ａ（Ｖｃｃ端子）を有しているため、ＴＶ受信装置２Ａ以外の装置ではＩＣカード７Ａからペアリング情報を取得することができない。すなわち、ＤＶＤレコーダ４と、ＤＶＤレコーダ４とペアリング情報を用いてペアリングするＴＶ受信装置２Ａと、を備えるクライアント・サーバシステム１Ａにおいて、簡易且つ低コストに、ＴＶ受信装置２Ａにペアリング情報を設定することができるとともに、ＴＶ受信装置２Ａ以外の装置に対してトラブルを発生させないようにすることができる。
【０１０１】
なお、本発明は、上記した実施の形態のものに限るものではなく、その要旨を逸脱しない範囲で適宜変更可能である。
【０１０２】
例えば、第１の実施の形態において、ＩＣカード７の形状に基づいて、挿入部２ａに挿入されたカードがＩＣカード７であるか否かを判別するようにしたが、例えば、ＩＣカード７に導電部を備えるとともに、挿入部２ａに挿入されたＢ−ＣＡＳカード６のＩＣ６１と接触する接触端子２７１の位置と異なる位置に、ＩＣカード７の導電部と接触する検出端子を備え、検出端子により導電部が検出できたか否かに基づいて、挿入部２ａに挿入されたカードがＩＣカード７であるか否かを判別するようにしてもよい。
この場合、接触端子２７１のみを介して、ＩＣカード７からデータを読み取ることができる。そして、この場合、ＩＣカード７の形状は、Ｂ−ＣＡＳカード６の形状と略同一でよく、また、ＩＣカード７のＩＣ７１に配置された端子の位置は、Ｂ−ＣＡＳカード６のＩＣ６１に配置された端子の位置と同一でよく、また、ＩＣカード７のＩＣ７１に配置された一の端子（例えば、Ｖｃｃ端子）を絶縁材料等で覆う必要はない。
【０１０３】
例えば、第１及び第２の実施の形態において、クライアント・サーバシステム１，１Ａを構成するサーバ装置とクライアント装置とは、ペアリング情報を用いて、無線ネットワークＮを介してペアリング可能であれば、ＴＶ受信装置２，２ＡやＤＶＤレコーダ４の限りでなく任意である。
【０１０４】
例えば、第１及び第２の実施の形態において、管理情報７１ｂを、ＤＶＤレコーダ４とペアリング中のＴＶ受信装置２，２Ａの個数と、ＤＶＤレコーダ４とペアリング可能なＴＶ受信装置２，２Ａの個数と、等を含む情報としたが、管理情報７１ｂには、ＤＶＤレコーダ４とペアリング中のＴＶ受信装置２の個数は含まなくてもよい。
この場合、ＣＰＵ３１１は、例えば、ペアリングさせる処理を実行した場合には、ＩＣカード７，７Ａの管理情報７１ｂに含まれるＤＶＤレコーダ４とペアリング可能なＴＶ受信装置２，２Ａの個数に「１」を減算し、例えば、ペアリング解除させる処理を実行した場合には、ＩＣカード７，７Ａの管理情報７１ｂに含まれるＤＶＤレコーダ４とペアリング可能なＴＶ受信装置２，２Ａの個数に「１」を加算する。そして、ＣＰＵ３１１は、例えば、ＩＣカード７，７Ａの管理情報７１ｂに含まれるＤＶＤレコーダ４とペアリング可能なＴＶ受信装置２，２Ａの個数が「０」でなければ（すなわち、「０」より大きい値であれば）、ＤＶＤレコーダ４とペアリング中のＴＶ受信装置２，２Ａの個数が、ＤＶＤレコーダ４とペアリング可能なＴＶ受信装置２，２Ａの個数を下回ると判断して、ペアリング処理を実行し、例えば、ＩＣカード７，７Ａの管理情報７１ｂに含まれるＤＶＤレコーダ４とペアリング可能なＴＶ受信装置２，２Ａの個数が「０」であれば、ＤＶＤレコーダ４とペアリング中のＴＶ受信装置２，２Ａの個数が、ＤＶＤレコーダ４とペアリング可能なＴＶ受信装置２，２Ａの個数を下回らないと判断して、ペアリング処理が実行できない旨を表示することになる。
【図面の簡単な説明】
【０１０５】
【図１】第１の実施の形態におけるクライアント・サーバシステムの構成を示す図である。
【図２】Ｂ−ＣＡＳカードの裏面を示す図（ａ）及び第１の実施の形態におけるＩＣカードの裏面を示す図（ｂ）である。
【図３】第１の実施の形態におけるクライアント・サーバシステムを構成するＴＶ受信装置の機能的構成を示すブロック図である。
【図４】第１の実施の形態におけるクライアント・サーバシステムを構成するＴＶ受信装置以外の装置に設けられたＢ−ＣＡＳカード用の挿入部に、Ｂ−ＣＡＳカードを挿入した状態を示す図（ａ）及び第１の実施の形態におけるＩＣカードを挿入した状態を示す図（ｂ）である。
【図５】第１の実施の形態におけるクライアント・サーバシステムを構成するＴＶ受信装置に設けられた挿入部に、Ｂ−ＣＡＳカードを挿入した状態を示す図（ａ）及び第１の実施の形態におけるＩＣカードを挿入した状態を示す図（ｂ）である。
【図６】第１の実施の形態におけるクライアント・サーバシステムによるペアリング処理の実行に関する処理を説明するためのフローチャートである。
【図７】第２の実施の形態におけるクライアント・サーバシステムの構成を示す図である。
【図８】第２の実施の形態におけるクライアント・サーバシステムを構成するＴＶ受信装置に設けられた挿入部に、第２の実施の形態におけるＩＣカードを挿入した状態を示す図である。
【図９】第２の実施の形態におけるクライアント・サーバシステムを構成するＴＶ受信装置の機能的構成を示すブロック図である。
【図１０】第２の実施の形態におけるクライアント・サーバシステムによるペアリング処理の実行に関する処理を説明するためのフローチャートである。
【符号の説明】
【０１０６】
１，１Ａ  クライアント・サーバシステム
２，２Ａ  ＴＶ受信装置（クライアント装置）
２ａ，２ａＡ  挿入部
２７，２７Ａ  インターフェース
２７１  接触端子
２７２Ａ  検出端子
３１１  ＣＰＵ（判別手段、取得手段、ペアリング処理実行手段）
３１３ａ  判別プログラム（判別手段）
３１３ｂ，３１３ｂＡ  取得プログラム（取得手段）
３１３ｃ  ペアリング処理実行プログラム（ペアリング処理実行手段）
４  ＤＶＤレコーダ（サーバ装置）
６  Ｂ−ＣＡＳカード
６１  ＩＣ
７，７Ａ  ＩＣカード
７２Ａ  導電部
Ｎ  無線ネットワーク
【図１】
2008028832.tif 000003
【図２】
2008028832.tif 000004
【図３】
2008028832.tif 000005
【図４】
2008028832.tif 000006
【図５】
2008028832.tif 000007
【図６】
2008028832.tif 000008
【図７】
2008028832.tif 000009
【図８】
2008028832.tif 000010
【図９】
2008028832.tif 000011
【図１０】
2008028832.tif 000012